(57)【要約】  モアレ抑制処理が不要な部分には，そのような処理を行わないようにする。  高解像度のマスタ・ページ画像から吹き出し領域，テキスト領域が検出される（ステップ22）。検出された領域を除く画像部分にはモアレ抑制処理，画素数減少処理が行われ，第１の画像部分データが得られる（ステップ23）。検出された領域の画像部分については，モアレ抑制処理は行われずに画素数減少処理が行われ，第２の画像部分データが得られる（ステップ24）。第１の画像部分データおよび第２の画像部分データから低解像度のページ画像が生成される（ステップ25）。
2014045722.tif 000002
【特許請求の範囲】
【請求項１】
漫画が画像化された漫画画像を構成する高解像度のマスタ・ページ画像に含まれる吹き出し領域およびテキスト領域の少なくとも一方を検出する領域検出手段，
上記マスタ・ページ画像のうち，上記領域検出手段によって検出された領域を除く画像部分を表す画像部分データについてモアレ抑制処理および画素数減少処理を行い，第１のページ部分画像データを生成する第１の処理手段，
上記マスタ・ページ画像のうち，上記領域検出手段によって検出された領域内の画像を表す領域画像データについて画素数減少処理を行い，第２のページ部分画像データを生成する第２の処理手段，ならびに
上記第１の処理手段において生成された第１のページ部分画像データと上記第２の処理手段において生成された第２のページ部分画像データとを用いて低解像度ページ画像を表わす低解像度ページ画像データを生成する低解像度ページ画像データ生成手段，
を備えたページ画像生成装置。
【請求項２】
領域検出手段が，漫画が画像化された漫画画像を構成する高解像度のマスタ・ページ画像に含まれる吹き出し領域およびテキスト領域の少なくとも一方を検出し，
第１の処理手段が，上記マスタ・ページ画像のうち，上記領域検出手段によって検出された領域を除く画像部分を表す画像部分データについてモアレ抑制処理および画素数減少処理を行い，第１のページ部分画像データを生成し，
第２の処理手段が，上記マスタ・ページ画像のうち，上記領域検出手段によって検出された領域内の画像を表す領域画像データについて画素数減少処理を行い，第２のページ部分画像データを生成し，
低解像度ページ画像データ生成手段が，上記第１の処理手段において生成された第１のページ部分画像データと上記第２の処理手段において生成された第２のページ部分画像データとを用いて低解像度ページ画像を表わす低解像度ページ画像データを生成する，
ページ画像生成装置の動作制御方法。
【請求項３】
ページ画像生成装置のコンピュータを制御するコンピュータが読み取り可能なプログラムであって，
漫画が画像化された漫画画像を構成する高解像度のマスタ・ページ画像に含まれる吹き出し領域およびテキスト領域の少なくとも一方を検出させ，
上記マスタ・ページ画像のうち，検出された領域を除く画像部分を表す画像部分データについてモアレ抑制処理および画素数減少処理を行わせ，第１のページ部分画像データを生成させ，
上記マスタ・ページ画像のうち，検出された領域内の画像を表す領域画像データについて画素数減少処理を行わせ，第２のページ部分画像データを生成させ，
生成された第１のページ部分画像データと第２のページ部分画像データとを用いて低解像度ページ画像を表わす低解像度ページ画像データを生成させるようにページ画像生成装置のコンピュータを制御するプログラム。
【発明の詳細な説明】
【技術分野】
【０００１】
この発明は，ページ画像生成装置ならびにその動作制御方法およびその動作制御プログラムに関する。
【背景技術】
【０００２】
漫画画像は，網点の集合で漫画のキャラクタ，背景などを表わすことがある。ところが，その網点の集合によって表わされる部分にはモアレが起きてしまうことがある。このために，モアレの無いきれいな画像を得ようとするものが考えられている（特許文献１，２，３）。
【先行技術文献】
【特許文献】
【０００３】
【特許文献１】特開平5-227424号公報
【特許文献２】特開2000-196882号公報
【特許文献３】特開2001-346038号公報
【発明の概要】
【発明が解決しようとする課題】
【０００４】
しかしながら，モアレを軽減すると，モアレが軽減された画像部分がぼけてしまうことがある。このために，べた塗りされている部分，文字部分などのようにモアレを軽減する必要の無い部分にはモアレを軽減する処理が行われないことが好ましい。ところが，モアレを軽減する必要の無い部分を判断することは難しい。【０００５】
この発明は，モアレを軽減する処理が必要ない部分には，そのような処理が行われないようにすることを目的とする。
【課題を解決するための手段】
【０００６】
この発明によるページ画像生成装置は，漫画が画像化された漫画画像を構成する高解像度のマスタ・ページ画像に含まれる吹き出し領域およびテキスト領域の少なくとも一方を検出する領域検出手段，マスタ・ページ画像のうち，領域検出手段によって検出された領域を除く画像部分を表す画像部分データについてモアレ抑制処理および画素数減少処理を行い，第１のページ部分画像データを生成する第１の処理手段，マスタ・ページ画像のうち，領域検出手段によって検出された領域内の画像を表す領域画像データについて画素数減少処理を行い，第２のページ部分画像データを生成する第２の処理手段，ならびに第１の処理手段において生成された第１のページ部分画像データと上記第２の処理手段において生成された第２のページ部分画像データとを用いて低解像度ページ画像を表わす低解像度ページ画像データを生成する低解像度ページ画像データ生成手段を備えていることを特徴とする。【０００７】
この発明は，上記ページ画像生成装置に適した動作制御方法も提供している。すなわち，領域検出手段が，漫画が画像化された漫画画像を構成する高解像度のマスタ・ページ画像に含まれる吹き出し領域およびテキスト領域の少なくとも一方を検出し，第１の処理手段が，マスタ・ページ画像のうち，領域検出手段によって検出された領域を除く画像部分を表す画像部分データについてモアレ抑制処理および画素数減少処理を行い，第１のページ部分画像データを生成し，第２の処理手段が，マスタ・ページ画像のうち，領域検出手段によって検出された領域内の画像を表す領域画像データについて画素数減少処理を行い，第２のページ部分画像データを生成し，低解像度ページ画像データ生成手段が，第１の処理手段において生成された第１のページ部分画像データと第２の処理手段において生成された第２のページ部分画像データとを用いて低解像度ページ画像を表わす低解像度ページ画像データを生成するものである。【０００８】
この発明は，ページ画像生成装置の動作制御方法を実施するためのコンピュータが読み取り可能なプログラムも提供している。そのようなプログラムを格納した記録媒体も提供するようにしてもよい。【０００９】
この発明によると，マスタ・ページ画像に含まれる吹き出し領域およびテキスト領域の少なくとも一方の領域が検出される。マスタ・ページ画像のうち，検出された領域を除く画像部分を表わすデータについてはモアレ抑制処理および画素数減少処理が行われ，第１のページ部分画像データが得られる。マスタ・ページ画像のうち，検出された領域内の画像を表す領域画像データについては，モアレ抑制処理は行われずに画素数減少処理が行われ，第２のページ部分画像データが得られる。得られた第１のページ部分画像データと第２のページ部分画像データとから低解像度ページ画像データが生成される。漫画画像を構成するページ画像のうち，網点の集合として表わされている部分を検出することは比較的難しいが，吹き出し領域およびテキスト領域を検出することは比較的易しい。この発明によると吹き出し領域およびテキスト領域は網点の集合として表わされていないと考え，それらの領域にはモアレ抑制処理が行われないので，吹き出し領域またはテキスト領域に記載されている文字がぼけてしまうことが未然に防止できる。
【図面の簡単な説明】
【００１０】
【図１】ページ画像生成装置の電気的構成を示すブロック図である。
【図２】ページ画像の一例である。
【図３】ページ画像生成装置の処理手順を示すフローチャートである。
【図４】ページ画像生成装置の電気的構成を示すブロック図である。
【発明を実施するための形態】
【００１１】
図１は，この発明の実施例を示すもので，ページ画像生成装置１の電気的構成を示すブロック図である。
【００１２】
ページ画像装置１の全体の動作は，ＣＰＵ６によって統括される。
【００１３】
ページ画像生成装置１は，コミックなどの漫画をスキャンすることにより得られる漫画画像を構成する高解像度のマスタ・ページ画像から低解像度のページ画像を生成するものである。その生成の過程において，吹き出し領域およびテキスト領域が検出され，それらの吹き出し領域およびテキスト領域以外の画像部分についてはモアレ抑制処理が行われて画素数を減少する処理が行われる。吹き出し領域およびテキスト領域についてはモアレ抑制処理が行われずに画素数を減少する処理が行われる。
【００１４】
ページ画像生成装置１には，表示装置２，通信装置３，紙の漫画をスキャンするためのスキャナ４，データ等を記憶するメモリ５，キーボードなどの入力装置７が含まれている。また，ページ画像生成装置１には，後述する動作を制御するプログラムが格納されているコンパクト・ディスク10にアクセスするためのＣＤ（コンパクト・ディスク）ドライブ８も含まれている。さらに，ページ画像生成装置１には，ハードディスク（図示略）にアクセスするためのＨＤ（ハードディスク）ドライブ９も含まれている。
【００１５】
コンパクト・ディスク10がＣＤドライブ８に装填されることにより，コンパクト・ディスク10に格納されている動作プログラムが読み取られ，読み取られた動作プログラムがページ画像生成装置１にインストールされる。もちろん，インターネット等を介して動作プログラムが送信され，通信装置３を利用してダウンロードすることにより，動作プログラムがページ画像生成装置１にインストールされるようにしてもよい。
【００１６】
図２は，漫画画像を構成するページ画像の一例である。
【００１７】
図２の左側のページ画像Ｐ１は，高解像度のマスタ・ページ画像である。図２の右側のページ画像Ｐ２は，低解像度のページ画像である。解像度の高い表示画面にも表示できるようにするためにマスタ・ページ画像Ｐ１が生成され，マスタ・ページ画像Ｐ１から，表示画面に応じた低解像度のページ画像Ｐ２が生成される。
【００１８】
マスタ・ページ画像Ｐ１には，コマ画像Ｆ１からＦ６が含まれている。これらのコマ画像Ｆ１からＦ６の中に，漫画のキャラクタ，背景などが描かれている。漫画のキャラクタ，背景などは点が規則的に並んだ網点によって表現されている。点の大小でキャラクタ，背景の濃淡が表わされる。符号ＨＴで示されている画像部分は，網点によって表現されている部分である。
【００１９】
コマ画像Ｆ１には，吹き出しｂ１およびｂ２が，コマ画像Ｆ４には吹き出しｂ３およびｂ４が，コマ画像Ｆ５には吹き出しｂ５が，コマ画像Ｆ６には吹き出しｂ６がそれぞれ含まれている。また，コマ画像Ｆ２には文字列が表わされているテキスト領域Ｔ１が含まれている。
【００２０】
低解像度のページ画像Ｐ２は，マスタ・ページ画像Ｐ１の解像度よりも低い。たとえば，マスタ・ページ画像Ｐ１は垂直方向2892画素水平方向4291画素であり，低解像度のページ画像Ｐ２は垂直方向1200画素水平方向900画素である。また，低解像度のページ画像Ｐ２は，後述するように，吹き出し領域ｂ１からｂ６およびテキスト領域Ｔ１を除く画像部分についてはモアレ抑制処理が行われるが，吹き出し領域ｂ１からｂ６およびテキスト領域Ｔ１はモアレ抑制処理が行われない。モアレ抑制処理が行われた画像部分はぼけてしまうことがあるが，吹き出し領域ｂ１からｂ６およびテキスト領域Ｔ１についてはモアレ抑制処理が行われないので，吹き出し領域ｂ１からｂ６内の文字およびテキスト領域Ｔ１内の文字はぼけない。マスタ・ページ画像Ｐ１において網点の画像部分を見つけ出すことは難しいが，この実施例では吹き出しの領域ｂ１からｂ６およびテキスト領域Ｔ１については網点の画像部分ではないと見なしているので，それらの部分について網点の画像部分かどうかの判断の処理は不要となる。比較的簡単に，網点の画像部分でない吹き出しの領域ｂ１からｂ６およびテキスト領域Ｔ１についてモアレ抑制を行わせないようにできる。
【００２１】
図３は，ページ画像生成装置の処理手順を示すフローチャートである。
【００２２】
図２の左側に示すマスタ・ページ画像Ｐ１についての処理について説明するが，他のマスタ・ページ画像についても同様である。
【００２３】
メモリ５には漫画画像を構成する全てのマスタ・ページ画像を表すマスタ・ページ画像データが記憶されている。メモリ５からマスタ・ページ画像データが読み取られる（ステップ21）。すると，マスタ・ページ画像データによって表わされるマスタ・ページ画像Ｐ１から吹き出し領域ｂ１からｂ６およびテキスト領域Ｔ１が検出される（ステップ22）。吹き出し領域ｂ１からｂ６の形状はほぼ決まっているので，その形状とのパターン・マッチングにより吹き出し領域ｂ１からｂ６が検出される。また，テキスト領域Ｔ１については文字認識により検出できる。
【００２４】
吹き出し領域ｂ１からｂ６およびテキスト領域Ｔ１が検出されると，それらの領域を除く画像部分にモアレ抑制処理および画素数減少処理が行われる（ステップ23）。これにより，吹き出し領域ｂ１からｂ６およびテキスト領域を除いた低解像度のページ画像Ｐ２を表わす第１の部分画像データが生成される。また，検出された吹き出し領域ｂ１からｂ６およびテキスト領域Ｔ１の部分については，モアレ抑制処理は行われずに画素数減少処理が行われる（ステップ24）。これにより，吹き出し領域ｂ１からｂ６およびテキスト領域Ｔ１を表わす低解像度のページ画像Ｐ２を表わす第２の部分画像データが生成される。
【００２５】
生成された第１の部分画像データと第２の部分画像データとから，低解像度のページ画像Ｐ２が生成される（ステップ25）。
【００２６】
上述した実施例はソフトウエアにより実現するものであるが，ハードウエアにより上述した低解像度のページ画像Ｐ２を生成するようにしてもよい。
【００２７】
図４は，ページ画像生成装置の他の電気的構成を示すブロック図である。
【００２８】
上述のように，マスタ・ページ画像データが得られると，得られたマスタ・ページ画像データが領域検出装置30に入力する。領域検出装置30においてマスタ・ページ画像Ｐ１の吹き出し領域ｂ１からｂ６およびテキスト領域Ｔ１が検出される。
【００２９】
マスタ・ページ画像データのうち，これらの吹き出し領域ｂ１からｂ６およびテキスト領域Ｔ１以外の画像部分を表わすデータはモアレ抑制／画素数減少フィルタ31に入力し，特定の周波数成分が抑制されることによりモアレ抑制処理が行われ，かつ圧縮等により画素数が減少させられる。モアレ抑制／画素数減少フィルタ31からは上述した第１の画像部分データが出力し，ページ画像生成装置33に入力する。
【００３０】
マスタ・ページ画像データのうち，吹き出し領域ｂ１からｂ６およびテキスト領域Ｔ１の画像部分を表わすデータは画素数減少フィルタ32に入力し，圧縮等により画素数が減少させられる。画素数減少フィルタ32ではモアレ抑制処理は行われない。画素数減少フィルタ31からは上述した第２の画像部分データが出力し，ページ画像生成装置33に入力する。
【００３１】
ページ画像生成装置33において，第１の画像部分データおよび第２の画像部分データから低解像度のページ画像Ｐ２が生成される。
【符号の説明】
【００３２】
１  ページ画像生成装置
６  ＣＰＵ
30  領域検出装置
31  モアレ抑制／画素数減少フィルタ（第１の処理手段）
32  画素数減少フィルタ（第２の処理手段）
33  ページ画像生成装置
Ｐ１  マスタ・ページ画像
Ｐ２  低解像度ページ画像
【図１】
2014045722.tif 000003
【図２】
2014045722.tif 000004
【図３】
2014045722.tif 000005
【図４】
2014045722.tif 000006
【国際調査報告】
2014045722.tif 000007
2014045722.tif 000008